(57)【要約】【課題】家電機器ネットワークの遠隔制御システムとその方法を提供する。【解決手段】有／無線インターネット網２００と、前記インターネット網に連結されて複数台の家電機器が連結されたホームネットワークを制御および管理するホームサーバー３００と、前記ホームサーバーが前記インターネット網を使用するために受信したＩＰアドレスが変更される度に前記ホームサーバーを管理するために前記変更されたＩＰアドレスにアップデートして前記ホームサーバーとデータ交換する中央ポータルサーバー１００と、を含んで構成され、動的ＩＰを使用するホームサーバーが中央ポータルサーバーに連結するとき、前記中央ポータルサーバーのデータベースに格納された既存のＩＰアドレスを新規に与えられたＩＰアドレスにアップデートできるようにする。【選択図】　　　図１
2004040759.tif 000002
【特許請求の範囲】
【請求項１】
インターネット網と、前記インターネット網に連結されて複数台の家電機器が連結されたホームネットワークを制御および管理するホームサーバーと、前記ホームサーバーが前記インターネット網を使用するために受信したＩＰアドレスが変更される度に前記ホームサーバーを管理するために前記変更されたＩＰアドレスにアップデートして前記ホームサーバーとデータ交換する中央ポータルサーバーと、を含んで構成されることを特徴とする家電機器ネットワークの遠隔制御システム。
【請求項２】
前記中央ポータルサーバーは、
前記ホームサーバーのＩＰアドレスが変更される度にＩＰアドレス情報を内蔵するキーメッセージが前記ホームサーバーから伝送されるＩＰサーバーモジュール部と、前記ＩＰサーバーモジュール部に伝送された前記キーメッセージが格納されるデータベース部と、前記データベース部を管理および制御するデータベースマネジャー部と、を含んで構成されることを特徴とする、請求項１記載の家電機器ネットワークの遠隔制御システム。
【請求項３】
前記ホームサーバーは、前記ホームサーバーの管理者に与えられたＩＤおよび暗号の認証手続が必要なセキュリティソケット方式を用いて前記中央ポータルサーバーと連結されることを特徴とする、請求項１記載の家電機器ネットワークの遠隔制御システム。
【請求項４】
前記ホームサーバーは、前記ＩＰアドレスを管理し、変更された前記ＩＰアドレスに基づいてキーメッセージを作成してこれを前記中央ポータルサーバーのＩＰサーバーモジュール部に入力されるようにするＩＰクライアントモジュール部をさらに含んで構成されることを特徴とする、請求項２記載の家電機器ネットワークの遠隔制御システム。
【請求項５】
前記キーメッセージは、変更されたＩＰアドレス、使用者ＩＤ、使用者暗号、使用者の制御情報がパケット化されて前記ＩＰクライアントモジュール部と前記ＩＰサーバーモジュール部との間に伝送されることを特徴とする、請求項４記載の家電機器ネットワークの遠隔制御システム。
【請求項６】
前記ホームサーバーは、前記中央ポータルサーバーと連結された後、周期的に連結保持信号を送信して前記中央ポータルサーバーとの連結を保持することを特徴とする、請求項１記載の家電機器ネットワークの遠隔制御システム。
【請求項７】
前記中央ポータルサーバーは、前記ホームサーバーから前記連結保持信号が設定時間を超えても受信されないと、前記ホームサーバーとの連結を終了することを特徴とする、請求項６記載の家電機器ネットワークの遠隔制御システム。
【請求項８】
前記連結保持信号は、変更されたＩＰアドレス、使用者ＩＤ、使用者暗号がパケット化されることを特徴とする、請求項７記載の家電機器ネットワークの遠隔制御システム。
【請求項９】
ホームサーバーが中央ポータルサーバーとセキュリティソケット方式で連結される第１段階と、前記ホームサーバーが前記中央ポータルサーバーに送信したＩＰアドレス情報および制御情報を内蔵するキーメッセージに応じて前記中央ポータルサーバーがこれを処理する第２段階と、前記ホームサーバーが連結保持信号を周期的に送信する第３段階と、を含んでなることを特徴とする家電機器ネットワークの遠隔制御方法。
【請求項１０】
前記第２段階でのキーメッセージは、変更されたＩＰアドレス、使用者ＩＤ、使用者暗号、使用者の制御情報がパケット化されることを特徴とする、請求項９記載の家電機器ネットワークの遠隔制御方法。
【請求項１１】
前記第３段階での連結保持信号は、変更されたＩＰアドレス、使用者ＩＤ、使用者暗号がパケット化されることを特徴とする、請求項９記載の家電機器ネットワークの遠隔制御方法。
【請求項１２】
前記第１段階は、
前記ホームサーバーが複数台の家電機器を制御できる正常待機状態か否か確認する第１過程と、前記ホームサーバーがインターネットに連結し中央ポータルサーバーへの連結を試みるために、使用者のＩＤおよび暗号が内蔵されたキーメッセージを送信する第２過程と、前記中央ポータルサーバーが前記ホームサーバーの連結を承認する第３過程と、を含んでなることを特徴とする、請求項９記載の家電機器ネットワークの遠隔制御方法。
【請求項１３】
前記第２段階は、
キーメッセージに応じて制御を行う第１過程と、前記第１過程における処理結果に基づいて該当データをデータベース部にアップデートする第２過程と、前記キーメッセージの正常受信状態を前記ホームサーバーに通報するために受信応答信号（ＡＣＫ）を送信する第３過程と、からなることを特徴とする、請求項９記載の家電機器ネットワークの遠隔制御方法。
【請求項１４】
前記第３段階での連結保持信号が設定時間を超えても受信されないと、前記ホームサーバーとの連結状態を終了する第４段階をさらに含んでなることを特徴とする、請求項９記載の家電機器ネットワークの遠隔制御方法。
【請求項１５】
前記第４段階は、
前記連結保持信号の未受信状態が設定時間を超過したか否か判断する第１過程と、前記設定時間を超過した場合ホームサーバーとの連結状態を終了する第２過程と、前記ホームサーバーが連結終了状態であることをデータベース部に格納する第３過程と、を含んでなることを特徴とする、請求項１４記載の家電機器ネットワークの遠隔制御方法。
【発明の詳細な説明】
【０００１】
【発明の属する技術分野】
本発明は、家電機器ネットワークの遠隔制御システムおよびその方法に関し、特に、動的ＩＰを使用するホームサーバーが中央ポータルサーバーに連結するとき、前記中央ポータルサーバーのデータベースに格納された既存のＩＰアドレスを新規のＩＰアドレスにアップデートするようにＩＰアドレスを内蔵するキーメッセージを送信することによって、前記中央ポータルサーバーによって多数個のホームサーバーを管理できるようにした家電機器ネットワークの遠隔制御システムおよびその方法に関する。
【０００２】
【従来の技術】
近来、家庭または建物内に設けられたネットワークに複数台の家電機器を連結してそれら複数台の家電機器を相互制御可能にする家電機器ネットワークシステムの構築が著しく増加しつつある。さらに、インターネット網に接続可能な端末機を用いて前記複数台の家電機器を家庭または建物外の場所からも遠隔制御できるようにして制御者の制御領域を広げる家電機器ネットワークの遠隔制御システムが拡散してきている。
【０００３】
したがって、使用者は、前記多数個のホームサーバーに連結された家電機器ネットワークを総括制御する中央ポータルサーバーを通じて制御命令を入力することができ、前記中央ポータルサーバーは、前記多数個のホームサーバーとデータ交換することによって遠隔から入力された前記制御命令の処理を要請することができる。
【０００４】
しかし、家庭では、加入されたインターネットサービス提供者（Ｉｎｔｅｒｎｅｔ　Ｓｅｒｖｉｃｅ　Ｐｒｏｖｉｄｅｒ）から固定ＩＰまたは動的ＩＰ（Ｄｙｎａｍｉｃ　Ｉｎｔｅｒｎｅｔ　Ｐｒｏｔｏｃｏｌ）アドレスを受信してインターネット網に接続できるが、固定ＩＰアドレスが提供されるインターネットサービスは設置および保守費用が多くかかり、サービス費用に比べて速度は著しく低いため、大多数の家庭では動的ＩＰアドレスを提供するインターネット連結サービスを利用する。
【０００５】
これにより、前記インターネット連結サービスを利用する家電機器ネットワークがインターネットに連結する度に新規に付与された動的ＩＰアドレスが前記中央ポータルサーバーに入力された既存のＩＰアドレスと異なるため、前記中央ポータルサーバーが前記ホームサーバーに連結不可能となり、結果として前記中央ポータルサーバーによる多数個のホームサーバーの中央管理および遠隔制御が不可能となる問題があった。
【０００６】
【発明が解決しようとする課題】
本発明は、前記従来技術の問題を解決するために案出されたものであって、その目的は、動的ＩＰを使用するホームサーバーが中央ポータルサーバーに連結するとき、前記中央ポータルサーバーのデータベースに格納された既存のＩＰアドレスを変更されたＩＰアドレスにアップデートするように、変更されたＩＰアドレスを内蔵するキーメッセージを送信して前記中央ポータルサーバーによって多数個のホームサーバーの管理を可能にすることによって、前記中央ポータルサーバーを通じて遠隔からホームネットワークに連結された複数台の家電機器を制御できる、家電機器ネットワークの遠隔制御システムおよびその方法を提供することにある。
【０００７】
【課題を解決するための手段】
前記目的を達成するために、本発明の第１の特徴によれば、有／無線インターネット網と、前記インターネット網に連結されて複数台の家電機器が連結されたホームネットワークを制御および管理するホームサーバーと、前記ホームサーバーが前記インターネット網を使用するために受信したＩＰアドレスが変更される度に前記ホームサーバーを管理するために前記変更されたＩＰアドレスにアップデートして前記ホームサーバーとデータ交換する中央ポータルサーバーと、を含んで構成される家電機器ネットワークの遠隔制御システムを提供する。
【０００８】
本発明の第２の特徴によれば、ホームサーバーが中央ポータルサーバーとセキュリティソケット方式で連結される第１段階と、前記ホームサーバーが前記中央ポータルサーバーに送信したＩＰアドレス情報および制御情報を内蔵するキーメッセージに応じて前記中央ポータルサーバーがこれを処理する第２段階と、前記ホームサーバーが連結保持信号を周期的に送信する第３段階と、を含んでなる家電機器ネットワークの遠隔制御方法を提供する。
【０００９】
本発明の第３の特徴によれば、ホームサーバーが中央ポータルサーバーとセキュリティソケット方式で連結される第１段階と、前記ホームサーバーが前記中央ポータルサーバーに送信したＩＰアドレス情報および制御情報を内蔵するキーメッセージに応じて前記中央ポータルサーバーがこれを処理する第２段階と、前記ホームサーバーが連結保持信号を周期的に送信する第３段階と、前記第３段階での連結保持信号が設定時間を超えても受信されないと、前記ホームサーバーとの連結状態を終了する第４段階と、を含んでなる家電機器ネットワークの遠隔制御方法を提供する。
【００１０】
【発明の実施の形態】
以下、本発明の好ましい実施例を添付図面を参照して詳細に説明する。
【００１１】
図１は、本発明による家電機器ネットワークの遠隔制御システムを示す構成図であり、図２は、本発明による家電機器ネットワークの遠隔制御システムの中央ポータルサーバーにおける作業の流れを示す図である。
【００１２】
まず、本発明は，有／無線インターネット網２００を介して連結可能な中央ポータルサーバー１００と多数個のホームサーバー３００との間でのデータ交換を通じて、複数台の家電機器が連結されたホームネットワークを管轄するホームサーバー３００を、前記中央ポータルサーバー１００が制御管理しうる家電機器ネットワークの遠隔制御システムに関する。
【００１３】
前記中央ポータルサーバー１００は、前記ホームサーバー３００のＩＰアドレスが変更される度にＩＰアドレス情報を内蔵するキーメッセージを前記ホームサーバー３００から受信するＩＰサーバーモジュール部１０と、前記ＩＰサーバーモジュール部１０に伝送された前記キーメッセージが格納されるデータベース部３０と、前記データベース部３０を管理および制御するデータベースマネジャー部２０と、を含んで構成される。
【００１４】
このように構成される中央ポータルサーバー１００に連結された多数個のホームサーバー３００を制御すると、そのホームサーバー３００によって家電機器が制御される。したがって、前記中央ポータルサーバー１００が常に前記ホームサーバー３００のＩＰアドレスを認知していないと、前記中央ポータルサーバー１００を通じた前記ホームネットワークの家電機器制御は不可能となる。
【００１５】
ホームサーバー３００は、インターネット網２００に連結するために与えられた動的ＩＰアドレスを格納し、これを中央ポータルサーバー１００に伝送するＩＰクライアントモジュール部４０を含んで構成されるが、前記ＩＰクライアントモジュール部４０は、インターネット網２００に連結を試みるとき、インターネットサービス提供者（ＩＳＰ）から新規に与えられたＩＰアドレスを内蔵するキーメッセージを作成し、これを前記中央ポータルサーバー１００のＩＰサーバーモジュール部１０に自動送信することによって、前記中央ポータルサーバー１００が、現在使用中のホームサーバーのＩＰアドレスを認知できるようにする。
【００１６】
前記キーメッセージは、変更されたＩＰアドレスと、使用者ＩＤと、使用者暗号と、使用者の制御情報とがパケット化されたメッセージであって、前記中央ポータルサーバー１００と多数個のホームサーバー３００がセキュリティソケット方式（Ｓｅｃｕｒｅｄ　Ｓｏｃｋｅｔ）を用いて連結されるため、前記ホームサーバー３００が中央ポータルサーバー１００と連結を試みるとき、前記中央ポータルサーバー１００へのアクセス権限の認証を受けるために、前記ホームサーバー３００の管理者に与えられたＩＤおよび暗号が、前記キーメッセージに内蔵されて前記中央ポータルサーバー１００に伝送される。
【００１７】
したがって、前記図２のように多数個のホームサーバー３００から伝送されたキーメッセージは、中央ポータルサーバー１００の作業待機列（Ｑｕｅｕｅ）に集積された後、前記ＩＤおよび暗号に基づいて該当使用者情報（スレッド）に分離されて該当使用者のＩＰアドレスがデータベース部３０にアップデートされる。
【００１８】
データベース部３０は、前記中央ポータルサーバー１００が多数個のホームサーバー３００を管理および制御するために必要なデータなどを格納し、特に、ホームネットワークを制御しようとする遠隔制御者のために提供されるウェブページおよび前記ウェブページと連動されて提供される様々なアプリケーションプログラムおよび使用者情報が格納され、また前記中央ポータルサーバー１００が受信したホームサーバー３００の変更されたＩＰアドレスを内蔵するキーメッセージが、データベースマネジャー部２０を通じて前記データベース部３０に格納される。
【００１９】
これにより、前記データベース部３０に格納されたホームサーバー３００の管理者ＩＤおよび暗号を確認してアクセス権限者であると認証されると、前記管理者（使用者）の既存のＩＰアドレスを新規のＩＰアドレスにアップデートする。
【００２０】
このようにホームサーバー３００のＩＰアドレスがアップデートされると、前記中央ポータルサーバー１００はインターネット網２００を介して前記ホームサーバー３００に連結することができるので、遠隔制御者は前記中央ポータルサーバー１００を通じて前記ホームサーバーおよび家電機器ネットワークを制御することができる。
【００２１】
前記中央ポータルサーバー１００とセキュリティソケット方式で連結されたホームサーバー３００は、データサイズの小さい連結保持信号（Ａｌｉｖｅ　Ｍｅｓｓａｇｅ）を設定時間の間周期的に送信して前記中央ポータルサーバー１００との連結を保持する。
【００２２】
前記連結保持信号は、変更されたＩＰアドレス、使用者ＩＤ、使用者暗号がパケット化された信号であって、これは、使用者のＩＤおよび暗号を送信した後、認証過程を経るセキュリティソケット連結の初期接続時間が相当長いため、それによるＩＰアドレスのアップデート時間遅延およびそれによる家電機器の制御遅延を防止するために、既に連結されたセキュリティソケットの保持を要請する信号である。したがって、前記ホームサーバー３００は、前記中央ポータルサーバー１００に前記連結保持信号を周期的に送信して連結保持を要請し、前記中央ポータルサーバー１００は、前記ホームサーバー３００からの連結保持信号が設定時間以上受信されない場合に限って、前記ホームサーバー３００とのセキュリティソケット連結を終了する。
【００２３】
以上のように構成される家電機器ネットワークの遠隔制御方法は、下記のようである。
【００２４】
図３は、本発明による家電機器ネットワークの遠隔制御方法を示す順序図であり、図４は、本発明によるホームサーバーのＩＰクライアントモジュール部の動作方法を示す順序図であり、図５は、本発明による中央ポータルサーバーのＩＰサーバーモジュール部の動作方法を示す順序図であって、これらを参照して説明する。
【００２５】
前記ホームサーバーは、複数台の家電機器が連結された家電機器ネットワークを制御できる正常待機状態か確認し（Ｌ１）、正常待機状態であれば、インターネット網に連結する（Ｌ２）。前記インターネット網に連結するとき、インターネットサービス提供者（ＩＳＰ）から新規に与えられたＩＰアドレスを中央ポータルサーバーに通報するために前記中央ポータルサーバーに連結を要請し（Ｌ３）、中央ポータルサーバーは前記ホームサーバーの連結要請を受信する（Ｍ１）。
【００２６】
このとき、前記ホームサーバーは、使用者のＩＤおよび暗号の内蔵されたキーメッセージを生成し、これを前記中央ポータルサーバーのＩＰサーバーモジュール部に送信した後、キーメッセージの送信が完了されたか否か判断する（Ｌ４）。未送信状態であれば、前記キーメッセージを中央ポータルサーバーに送信し（Ｌ６）、前記中央ポータルサーバーは前記キーメッセージを受信して前記キーメッセージに内蔵されたＩＤおよび暗号を確認し、前記ホームサーバーのアクセス権限が有効か判断する（Ｍ２）。前記ホームサーバーのアクセス権限が認証されると、前記ホームサーバーの連結試みを正式に承認することによって前記中央ポータルサーバーと前記ホームサーバーはセキュリティソケット方式で連結される。…［Ｓ１］
前記キーメッセージは変更されたＩＰアドレス、使用者ＩＤ、使用者暗号、使用者の制御情報がパケット化された形態で伝送されるが、前記キーメッセージを受信した中央ポータルサーバーのデータベースマネジャー部は、使用者情報に格納された既存のＩＰアドレスを新規のＩＰアドレスにアップデートするようにデータベース部を管理する。…［Ｓ２］
前記中央ポータルサーバーは、前記データベース部に新規のＩＰアドレスをアップデートし（Ｍ３）、前記キーメッセージが正常受信されたか判断する（Ｍ４）。前記キーメッセージが正常受信されて前記ホームサーバーの新規のＩＰアドレスが前記データベース部に正常的にアップデートされたら、前記中央ポータルサーバーは、前記ホームサーバーに受信応答信号（ＡＣＫ）を送信する（Ｍ５）。…［Ｓ３］
すると、前記ホームサーバーは前記中央ポータルサーバーとのセキュリティソケット連結を即時終了せずに、前記中央ポータルサーバーに連結保持信号を設定時間の間周期的に送信することによって（Ｌ５）、新規のセキュリティソケット連結のために所要される時間を節約し、連続的に発生可能なホームサーバーの状態信号が前記中央ポータルサーバーに迅速に伝送されるようにする。…［Ｓ４］
前記連結保持信号は、ＩＰアドレス、前記ホームサーバーのシステムと結合される使用者ＩＤおよび暗号がパケット化した信号である。したがって、多数個のホームサーバーを管轄する中央ポータルサーバーは、どのホームサーバーが連結保持信号を送信したかを前記ＩＤおよび暗号を通じて確認した後（Ｍ６）、該当ホームサーバーとのセキュリティソケット連結状態を保持する。…［Ｓ５］
前記中央ポータルサーバーは、前記連結保持信号の未受信状態が設定時間を超過するか判断する。…［Ｓ６］
前記設定時間を超えてもホームサーバーから前記連結保持信号が受信されないと（Ｍ７）、前記ホームサーバーとのセキュリティソケット連結を解除して連結状態を遮断させ、最終的なホームサーバー状態をデータベース部にアップデートする（Ｍ８）。したがって、遠隔制御者が前記中央ポータルサーバーに接続して前記ホームサーバーの遠隔制御を試みるとき、前記ホームサーバーが連結状態か、未連結状態か確認することができる。設定時間を超えていないと、前記ホームサーバーが追加的に送信する信号を受信するために前記ホームサーバーとセキュリティソケット連結を保持しながら一定時間待機する（Ｍ９）。…［Ｓ７］
以上では本発明による家電機器ネットワークの遠隔制御システムおよびその方法を、例示した図面を参照して説明したが、本発明は、本明細書に開示された実施例と図面によって限定されるのではない。
【００２７】
【発明の効果】
以上のように構成される本発明による家電機器ネットワークの遠隔制御システムおよびその方法は、動的ＩＰを使用するホームサーバーが中央ポータルサーバーに連結するとき、前記中央ポータルサーバーのデータベースに格納された既存のＩＰアドレスを変更されたＩＰアドレスにアップデートできるようにＩＰアドレスを内蔵するキーメッセージを送信することによって、前記中央ポータルサーバーによる多数個のホームサーバーの管理が可能になるため、前記中央ポータルサーバーを通じて遠隔から、ホームネットワークに連結された複数台の家電機器を制御するにあたって、より安定的で便利に遠隔制御できる効果がある。
【図面の簡単な説明】
【図１】本発明による家電機器ネットワークの遠隔制御システムを示す構成図である。
【図２】本発明による家電機器ネットワークの遠隔制御システムにおける中央ポータルサーバーの作業処理の流れを示す図である。
【図３】本発明による家電機器ネットワークの遠隔制御方法を示す順序図である。
【図４】本発明によるホームサーバーのＩＰクライアントモジュール部の動作方法を示す順序図である。
【図５】本発明による中央ポータルサーバーのＩＰサーバーモジュール部の動作方法を示す順序図である。
【符号の説明】
１０…ＩＰサーバーモジュール部
２０…データベース（ＤＢ）マネジャー部
３０…データベース部
４０…ＩＰクライアントモジュール部
１００…中央ポータルサーバー
２００…インターネット網
３００…ホームサーバー
【図１】
2004040759.tif 000003
【図２】
2004040759.tif 000004
【図３】
2004040759.tif 000005
【図４】
2004040759.tif 000006
【図５】
2004040759.tif 000007